(57)【要約】【課題】      画像読取装置を支持するための強度を高めること。【解決手段】  前側プレート（２１）と、前記前側プレート（２１）の一側部に設けられ、前記画像読取装置の前側一側部を支持する前側一側部支持部材（２２＋４２）と、を有する前記前側フレーム（６）、後側プレート（３１）と、  前記後側プレート（３１）の前記一側部に設けられ、前記画像読取装置（ＩＩＴ）の後側一側部を支持する後側一側部支持部材（３３）と、前記後側プレート（３１）の前記一側部の反対側の側部である他側部に設けられ、前記画像読取装置（ＩＩＴ）の後側他側部を支持し且つ、前記給紙トレイ支持部材（９）の下端部から上方に延びる一体形成された後側他側部支持部材（３２）と、を有する前記後側フレーム（７）とを有する画像形成装置。【選択図】    図２
2005260593.tif 000002
【特許請求の範囲】
【請求項１】
下記の構成要件（Ａ01）〜（Ａ04）を備えたことを特徴とする画像形成装置、
（Ａ01）原稿の画像を読み取る画像読取装置、
（Ａ02）前側フレームと、
前記前側フレームの後方に配置された後側フレームと、
前記画像読取装置で読み取った画像に基づいてシートに画像記録を行う画像記録部材を支持し且つ、前記前側フレームと前記後側フレームとを連結するベースフレームと、
前記ベースフレームの下方に配置され、給紙されるシートが収容される給紙トレイを支持する給紙トレイ支持部材と、
前記画像読取装置の下方に設けられたシート排出トレイと、
を有し、前記画像読取装置の下方に配置された画像記録装置、
（Ａ03）前側プレートと、
前記前側プレートの一側部に設けられ、前記画像読取装置の前側一側部を支持する前側一側部支持部材と、
を有する前記前側フレーム、
（Ａ04）後側プレートと、
前記後側プレートの前記一側部に設けられ、前記画像読取装置の後側一側部を支持する後側一側部支持部材と、
前記後側プレートの前記一側部の反対側の側部である他側部に設けられ、前記画像読取り装置の後側他側部を支持し且つ、前記給紙トレイ支持部材の下端部から上方に延びる一体形成された後側他側部支持部材と、
を有する前記後側フレーム。
【請求項２】
下記の構成要件（Ａ05）を備えたことを特徴とする請求項１記載の画像形成装置、
（Ａ05）前記後側プレートとは別体に形成され、前記後側プレートの前記他側部に支持された前記後側他側部支持部材。
【請求項３】
下記の構成要件（Ａ06）、（Ａ07）を備えたことを特徴とする請求項１または２記載の画像形成装置、
（Ａ06）前記前側プレートの上端部に支持された前記前側一側部支持部材、
（Ａ07）前記後側プレートの上端部に支持された前記後側一側部支持部材。
【請求項４】
下記の構成要件（Ａ08）を備えたことを特徴とする請求項１または２記載の画像形成装置、
（Ａ08）前記前側プレートとは別体に形成され、前記前側プレートの前記一側部に支持され且つ、前記給紙トレイ支持部材の下端部から上方に延びる一体形成された前記前側一側部支持部材。
【請求項５】
下記の構成要件（Ａ09）を備えたことを特徴とする請求項１ないし４のいずれか記載の画像形成装置、
（Ａ09）薄肉折曲げ部材で構成された前記後側他端部支持部材。
【発明の詳細な説明】
【技術分野】
【０００１】
本発明は、複写機、複合機等の画像形成装置に関し、特に、原稿を読み取る画像読取り装置と、画像読取り装置で読み取った画像に基づいてシートに画像記録を行う画像記録装置とを有する画像形成装置に関する。
【背景技術】
【０００２】
近年、画像形成装置の小型化が進み、画像記録されたシートを排出する排出トレイが、画像が記録される画像記録装置の上面に設けられ、排出トレイが画像形成装置の外側にはみ出さない、いわゆる、胴内排出型の画像形成装置が増えてきている。前記胴内排出型の画像形成装置のうち、原稿の画像を読み取る画像読取り装置を有する複写機、複合機（複写機、ＦＡＸ、プリンタ、スキャナ等の複数の機能を有する画像形成装置）等では、上方に配置された画像読取り装置（ＩＩＴ、スキャナ部）と下方に配置された画像記録装置（ＩＯＴ、プリンタ部）との間に設けられた排出トレイにシートが排出される。
【０００３】
前述の複写機等の画像形成装置では、画像読取り装置が画像記録装置の上方に支持される。前記画像読取り装置が、傾斜したり、撓んだり、変形した場合、読み取った画像が傾斜したりねじれたりして画質が低下する可能性があるので、前記画像読取り装置は変形等が無く、できるだけ平らな状態で支持する必要がある。
前記画像読取り装置を画像記録装置の上方に支持する技術として、以下の技術（Ｊ01）〜（Ｊ03）が従来公知である。
【０００４】
（Ｊ01）特許文献１（特開２０００−２２９７３６号公報）記載の技術
特許文献１には、画像記録装置（ＩＯＴ）とは別体に構成されたラックの上端部に画像読取り装置（ＩＩＴ）を支持した画像形成装置が記載されている。
（Ｊ02）特許文献２（特開平１０−２６８５４号公報）及び特許文献３（特開平８−３３９１０８号公報）記載の技術
特許文献２、３には、画像形成装置の横幅方向に延び、画像記録装置の後側に配置された後側プレート（後側板４１、排紙部後側板１３）と、画像記録装置の前側に配置され且つ横幅方向に離れて配置された一対の支持部材（支柱４２、縦ステー１４ａ，１４ｂ）とにより、画像読取り装置の後縁と、画像読取り装置前側の左右両端部を支持する画像形成装置が記載されている。また、特許文献２記載の画像形成装置では、前記支持部材（支柱４２）は、前側プレート（前側板４０）に接続されている。
【０００５】
（Ｊ03）特許文献４（特開平１１−２５８８８５号公報）及び特許文献５（特開２０００−１７４９５６号公報）記載の技術
特許文献４、５には、ベースフレーム（ベース２１、ベース板５０）の上部に支持された枠体（溶接構造体２２、金属フレーム５４）により、画像読取り装置を３箇所で支持する（３点支持する）画像形成装置が記載されている。また、特許文献４、５には、強度を高めるために角パイプにより構成された枠体が記載されている。
【０００６】
【特許文献１】特開２０００−２２９７３６号公報（第１図）
【特許文献２】特開平１０−２６８５４号公報（「００２０」〜「００２３」、第１図〜第３図）
【特許文献３】特開平８−３３９１０８号公報（「００１３」〜「００１７」、第２図）
【特許文献４】特開平１１−２５８８８５号公報（「０００９」〜「００１０」、第２図）
【特許文献５】特開２０００−１７４９５６号公報（「００３３」〜「００４０」、第２図、第３図）
【発明の開示】
【発明が解決しようとする課題】
【０００７】
（従来技術（Ｊ01）の問題点）
前記従来技術（Ｊ01）では、画像読取り装置を支持するラックを、画像記録装置とは別個に設けるので、コストが高くなるという問題がある。
（従来技術（Ｊ02）の問題点）
前記従来技術（Ｊ02）では、画像記録装置の前側の左右両端部に一対の支持部材が設けられているので、胴内排出型の画像形成装置では、排出トレイの左右両端部に支持部材が配置される。したがって、ユーザが排出トレイからシートを取り出す際に、支持部材が邪魔になり、取り出しにくいという問題がある。また、特許文献２記載の技術のように、上下方向に延びる支持部材を前側プレートに接続した場合、画像読取装置の重量により接続部に作用する力が大きいので、画像読取り装置を支持するための強度が不足する恐れがある。
【０００８】
（従来技術（Ｊ03）の問題点）
前記従来技術（Ｊ03）では、ベースフレーム上に枠体が支持されており、ベースフレームの下方に配置されるシート給紙トレイ用の部材と枠体とは別体に構成されている。したがって、ベースフレームより上の部分の強度とベースフレームより下の部分の強度が異なるため、全体としての強度が不足して、３点支持で片持ち状態で支持された画像読取り装置によって、ベースフレームより上の部分がベースフレームより下の部分に対して歪んだり撓む可能性がある。また、前記従来技術（Ｊ03）では、角パイプを溶接した枠体が使用されているので、枠体のコストが高く、画像形成装置のコストが高くなるという問題がある。また、枠体に角パイプを使用した場合、パイプが中空なので利用可能なスペースが減少して（デッドスペースが発生して）、スペースを有効活用できないという問題がある。さらに、角パイプで作成された枠体を使用した場合、画像読取装置を有する複写機等の画像形成装置用の枠体と、画像読取装置を有しないプリンタ等の画像形成装置用の枠体を別個に用意しなければならず、部品を共通化することが困難であるという問題がある。
【０００９】
本発明は、前述の事情に鑑み、次の記載内容（Ｏ01）〜（Ｏ04）を技術的課題とする。
（Ｏ01）画像読取装置を支持するための強度を高めること。
（Ｏ02）画像形成装置のコストを抑えること。
（Ｏ03）デッドスペースを減らすこと。
（Ｏ04）画像読取装置を有する画像形成装置と画像読取装置を有しない画像形成装置との間で部品を共通化すること。
【課題を解決するための手段】
【００１０】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１１】
（第１発明）
前記技術的課題を解決するために、第１発明の画像形成装置は、下記の構成要件（Ａ01）〜（Ａ04）を備えたことを特徴とする画像形成装置、
（Ａ01）原稿の画像を読み取る画像読取装置（ＩＩＴ）、
（Ａ02）前側フレーム（６，６′）と、
前記前側フレーム（６，６′）の後方に配置された後側フレーム（７，７′）と、
前記画像読取装置（ＩＩＴ）で読み取った画像に基づいてシートに画像記録を行う画像記録部材を支持し且つ、前記前側フレーム（６，６′）と前記後側フレーム（７，７′）とを連結するベースフレーム（８）と、
前記ベースフレーム（８）の下方に配置され、給紙されるシートが収容される給紙トレイ（ＴＲ１，ＴＲ２）を支持する給紙トレイ支持部材（９）と、
前記画像読取装置（ＩＩＴ）の下方に設けられたシート排出トレイ（ＴＲｈ）と、
を有し、前記画像読取装置（ＩＩＴ）の下方に配置された画像記録装置（ＩＯＴ）、
（Ａ03）前側プレート（２１）と、
前記前側プレート（２１）の一側部に設けられ、前記画像読取装置（ＩＩＴ）の前側一側部を支持する前側一側部支持部材（２２＋４２；２２′）と、
を有する前記前側フレーム（６，６′）、
（Ａ04）後側プレート（３１）と、
前記後側プレート（３１）の前記一側部に設けられ、前記画像読取装置（ＩＩＴ）の後側一側部を支持する後側一側部支持部材（３３，３３′）と、
前記後側プレート（３１）の前記一側部の反対側の側部である他側部に設けられ、前記画像読取装置（ＩＩＴ）の後側他側部を支持し且つ、前記給紙トレイ支持部材（９）の下端部から上方に延びる一体形成された後側他側部支持部材（３２，３２′）と、
を有する前記後側フレーム（７，７′）。
【００１２】
（第１発明の作用）
前記構成要件（Ａ01）〜（Ａ04）を備えた第１発明の画像形成装置では、ベースフレーム（８）は、原稿の画像を読み取る画像読取装置（ＩＩＴ）で読み取った画像に基づいてシートに画像記録を行う画像記録部材を支持し且つ、前記前側フレーム（６，６′）と前記後側フレーム（７，７′）とを連結する。給紙されるシートが収容される給紙トレイ（ＴＲ１，ＴＲ２）を支持する給紙トレイ支持部材（９）は、前記ベースフレーム（８）の下方に配置される。前記前側フレーム（６，６′）の前側一側部支持部材（２２＋４２；２２′）は、前側プレート（２１）の一側部に設けられ、前記画像読取装置（ＩＩＴ）の前側一側部を支持する。後側プレート（３１）の前記一側部に設けられた後側一側部支持部材（３３，３３′）は、前記画像読取装置（ＩＩＴ）の後側一側部を支持する。後側フレーム（７，７′）の前記後側プレート（３１）の他側部には、前記給紙トレイ支持部材（９）の下端部から上方に延びる一体形成された後側他側部支持部材（３２，３２′）が設けられ、後側他側部支持部材（３２，３２′）は前記画像読取り装置の後側他側部を支持する。
【００１３】
したがって、第１発明の画像形成装置は、画像記録装置（ＩＯＴ）の前側フレーム（６，６′）の前側一側部支持部材（２２＋４２；２２′）と、後側フレーム（７，７′）の後側一側部支持部材（３３，３３′）および後側他側部支持部材（３２，３２′）の３箇所で画像読取装置（ＩＩＴ）を支持する。即ち、画像読取装置（ＩＩＴ）を支持するために、画像記録装置（ＩＯＴ）とは別体に構成されたラックを使用しないので、画像形成装置全体のコストを低減できる。
また、第１発明の画像形成装置は、前側一側部支持部材（２２＋４２；２２′）、後側一側部支持部材（３３，３３′）および後側他側部支持部材（３２，３２′）の３箇所で画像読取装置（ＩＩＴ）を支持する。この結果、画像読取装置（ＩＩＴ）を前側一側部、後側一側部、前側他側部および後側他側部の４箇所で支持する従来技術（Ｊ02）の場合と比較して、前側他側部の支持部材が設けられていないので、排出トレイのシートをユーザが取り出しやすくなる。
【００１４】
また、第１発明の画像形成装置では、一体形成された後側他側部支持部材（３２，３２′）が、ベースフレームの下方に配置された給紙トレイ支持部材（９）の下端部から上方に延び且つ、上方に配置された画像読取装置（ＩＩＴ）を支持している。したがって、一体形成された後側他側部支持部材（３２，３２′）がベースフレーム（８）の下方から上方まで延びているので、ベースフレーム（８）より上方にのみ枠体が配置され、ベースフレーム（８）の上下で強度の異なる従来技術と比較して、ベースフレーム（８）の上側の部分が下側部分に対して撓んだり、変形したりすることを防止できる。この結果、画像読取装置（ＩＩＴ）を有する画像形成装置全体の強度を高めることができ、画像形成装置の振動等も低減でき、画像読取装置（ＩＩＴ）を精度よく保持することができる。
【００１５】
（第１発明の形態１）
第１発明の形態１は、前記第１発明において、下記の構成要件（Ａ05）を備えたことを特徴とする。
（Ａ05）前記後側プレート（３１）とは別体に形成され、前記後側プレート（３１）の前記他側部に支持された前記後側他側部支持部材（３２，３２′）。
【００１６】
（第１発明の形態１の作用）
前記構成要件（Ａ05）を備えた第１発明の形態１の画像形成装置では、前記後側他側部支持部材（３２，３２′）は、前記後側プレート（３１）とは別体に形成され、前記後側プレート（３１）の前記他側部に支持されている。したがって、後側他側部支持部材（３２，３２′）が後側プレート（３１）とは別体に構成されているので、画像読取装置（ＩＩＴ）を有しない画像形成装置（例えば、プリンタ）で使用される後側プレート（３１）と、画像読取装置（ＩＩＴ）を有する画像形成装置（例えば、複写機、ＦＡＸ、複合機）で使用される後側プレート（３１）とを共通化して、画像読取装置（ＩＩＴ）の有無に応じて、プリンタ用の後側他側部支持部材（３２′）または、複写機、ＦＡＸ用の後側他側部支持部材（３２）を後側プレート（３１）に取り付けることができる。この結果、後側プレート（３１）を共通化することができるので、画像形成装置のコストを低減することができる。
【００１７】
（第１発明の形態２）
第１発明の形態２は、前記第１発明または第１発明の形態１において、下記の構成要件（Ａ06）、（Ａ07）を備えたことを特徴とする。
（Ａ06）前記前側プレート（２１）の上端部に支持された前記前側一側部支持部材（４２）、
（Ａ07）前記後側プレート（３１）の上端部に支持された前記後側一側部支持部材（３３，３３′）。
【００１８】
（第１発明の形態２の作用）
前記構成要件（Ａ06）、（Ａ07）を備えた第１発明の形態２では、前記前側一側部支持部材（４２）は、前記前側プレート（２１）の上端部に支持されており、前記後側一側部支持部材（３３，３３′）は、前記後側プレート（３１）の上端部に支持されている。したがって、画像読取装置（ＩＩＴ）の有無に応じて、
前側一側部支持部材（４２）や後側一側部支持部材（３３，３３′）を変更することができる。この結果、前側プレート（２１）や後側プレート（３１）を共通化でき、コストを低減できる。
【００１９】
（第１発明の形態３）
第１発明の形態３の画像形成装置は、第１発明または第１発明の形態１において、下記の構成要件（Ａ08）を備えたことを特徴とする。
（Ａ08）前記前側プレート（２１）とは別体に形成され、前記前側プレート（２１）の前記一側部に支持され且つ、前記給紙トレイ支持部材（９）の下端部から上方に延びる一体形成された前記前側一側部支持部材（２２′）。
【００２０】
（第１発明の形態３の作用）
前記構成要件（Ａ08）を備えた第１発明の形態３の画像形成装置では、前記給紙トレイ支持部材（９）の下端部から上方に延びる一体形成された前側一側部支持部材（２２′）は、前記前側プレート（２１）とは別体に形成され、前記前側プレート（２１）の前記一側部に支持されている。したがって、前側一側部支持部材（２２′）が、ベースフレーム（８）の下方から上方まで一体形成された部材であるので、前側プレート（２１）に前側一側部支持部材が接続されている従来技術や、ベースフレーム（８）より上方に支持部材が配置されている従来技術と比較して、ベースフレーム（８）の上側の部分が下側部分に対して撓んだり、変形したりすることを防止できる。この結果、画像読取装置（ＩＩＴ）を有する画像形成装置全体の強度を高めることができ、画像形成装置の振動等も低減でき、画像読取装置（ＩＩＴ）の平面度を精度よく保持することができる。
【００２１】
（第１発明の形態４）
第１発明の形態４の画像形成装置は、第１発明または第１発明の形態１〜３において、下記の構成要件（Ａ09）を備えたことを特徴とする。
（Ａ09）薄肉折曲げ部材で構成された前記後側他側部支持部材（３２，３２′）。
（第１発明の形態４の作用）
前記構成要件（Ａ09）を備えた第１発明の形態４の画像形成装置では、前記後側他側部支持部材（３２，３２′）は、薄肉折曲げ部材で構成されている。したがって、後側他側部支持部材（３２，３２′）を角パイプで構成する場合と比較して、薄肉折曲げ部材を使用することによりコストを低減することができるとともに、デッドスペースを減らすことができ、スペースを有効活用できる。
【発明の効果】
【００２２】
前述の本発明は、下記の効果（Ｅ01）〜（Ｅ04）を奏する。
（Ｅ01）画像読取装置を支持するための強度を高めることができる。
（Ｅ02）画像形成装置のコストを抑えることができる。
（Ｅ03）デッドスペースを減らすことができる。
（Ｅ04）画像読取装置を有する画像形成装置と画像読取装置を有しない画像形成装置との間で部品を共通化することができる。
【発明を実施するための最良の形態】
【００２３】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２４】
図１は本発明の実施例１の画像形成装置の斜視説明図である。
図１において、画像形成装置としてのデジタル複合機Ｕは、ＦＡＸ、プリンタ、スキャナおよび複写機としての機能を備えている。画像形成装置Ｕは、ＩＯＴ（イメージアウトプットターミナル、即ち、画像記録装置）、ＩＩＴ（イメージインプットターミナル、すなわち画像読取装置）を有している。
前記ＩＩＴの上面には、カバーＵ１が、その後端部（−Ｘ端部）に設けた左右方向に延びるヒンジ軸（図示せず）によりプラテンガラス（図示せず）上面に対して回動可能に支持されており、原稿を作業者が手でプラテンガラス上に置く場合に上方に回動される。
また、前記ＩＩＴの前部には、コピースタートや複写枚数等をユーザが入力するためのユーザインタフェースＵＩが支持されている。
【００２５】
前記ＩＯＴ上面には上方のＩＩＴとの間にシート排出トレイＴＲｈが設けられている。前記シート排出トレイＴＲｈの左端部上方には、シート排出トレイＴＲｈにシートを排出する排出ローラＲ１が配置されている。
また、ＩＯＴの下部には、給紙される画像記録用のシートを収容する複数の給紙トレイＴＲ１、ＴＲ２が、前後方向に挿抜可能に支持されている。また、ＩＯＴの左側部には、手差しで給紙されるシートが支持される手差しトレイＴＲ０が支持されている。
【００２６】
図２は実施例１の画像形成装置の全体のフレームの斜視説明図である。
図３は実施例１の画像形成装置のＩＩＴを外したＩＯＴのフレームの斜視説明図である。
図４は実施例１の画像形成装置のフレームの各部分の斜視説明図であり、図４Ａは左側ＩＩＴ支持部材の斜視説明図、図４Ｂは右側ＩＩＴ支持部材の斜視説明図、図４Ｃは前側フレームの斜視説明図、図４Ｄは後側フレームの斜視説明図である。
【００２７】
図２〜図４において、画像形成装置Ｕは、ＩＯＴのフレームであるＩＯＴフレーム１と、ＩＯＴフレーム１の上端部に支持されたＩＩＴフレーム２とを有している。図３、図４において、ＩＯＴフレーム１は、前側フレーム６と、後側フレーム７と、ＩＩＴで読み取った画像に基づいてシートに画像記録を行う図示しない画像記録部材（静電潜像を書き込む潜像書込装置（ＲＯＳ）等）を支持し且つ、前記前側フレーム６の上下方向中央部と前記後側フレーム７の上下方向中央部とを連結するベースフレーム８とを有している。
【００２８】
図２，図３において、前記ベースフレーム８の下方には、前記前側フレーム６と後側フレーム７とを連結し且つ給紙トレイＴＲ１，ＴＲ２をスライド可能に支持する給紙トレイ支持部材９が、ＩＯＴフレーム１の下端部に支持されている。また、ＩＯＴフレーム１は、前側フレーム６と後側フレーム７とを連結する複数の連結フレーム１１を有している。さらに、前記ＩＯＴフレーム１は、ＩＩＴフレーム２の左側部（−Ｙ側部、一側部）を支持する左側ＩＩＴ支持部材１２と、ＩＩＴフレーム２の右側部（＋Ｙ側部、他側部）を支持する右側ＩＩＴ支持部材１３とを有している。
【００２９】
（前側フレーム）
図５は前側フレームの構成部品の斜視説明図であり、図５Ａは前側プレートの斜視説明図、図５Ｂは前側左側部下部支持部材の斜視説明図、図５Ｃは前側右側部支持部材の斜視説明図、図５Ｄは前側下端部連結プレートの斜視説明図である。
図２〜図４において、前側フレーム６は、ＩＯＴの前側に配置される前側プレート２１と、前側プレート２１の左側部（−Ｙ側部）に支持された前側左側部下部支持部材（前側一側部支持部材）２２と、前側プレート２１の右側部（＋Ｙ側部）に支持された前側右側部支持部材２３と、前側左側部下部支持部材２２の下端部と前側右側部支持部材２３の下端部とを連結する前側下端部連結プレート２４と、を有している。なお、前側左側部下部支持部材２２および前側右側部支持部材２３の上端部は、シート排出トレイＴＲｈの高さまで延びている。
図４Ｃ、図５Ａにおいて、前記前側プレート２１には、感光体や現像器等をユニット化したトナー像形成ユニットを着脱するためのユニット着脱孔２１ａやその他複数の部材装着孔やネジ孔が形成されている。
【００３０】
図２〜図４、図５Ｂにおいて、前記前側左側部下部支持部材２２は、上端部（＋Ｚ端部）には、前記左側ＩＩＴ支持部材１２の前端部を支持するための左側ＩＩＴ支持部材装着用ネジ孔２２ａを含む複数のネジ孔等が形成されている。また、図２〜図４において、前側左側部下部支持部材２２には、左方（−Ｙ方向）に突出する前側手差しトレイ支持部材２６が支持されている。
図２〜図４、図５Ｃ、図５Ｄにおいて、前記前側右側部支持部材２３や前側下端部連結プレート２４にも複数の孔が形成されている。
なお、前記前側フレーム６を構成する各部材２１〜２６は薄肉プレート状部材を折り曲げて形成された薄肉折り曲げ部材により形成されている。
【００３１】
（後側フレーム）
図６は図４Ｄの矢印ＶＩ方向から見た斜視説明図である。
図７は後側フレームの構成部品の斜視説明図であり、図７Ａは後側プレートを前側から見た斜視説明図、図７Ｂは後側プレートを後側から見た斜視説明図、図７Ｃは後側右側部支持部材の斜視説明図、図７Ｄは後側左側部支持部材の斜視説明図、図７Ｅは後側上端部連結プレートの斜視説明図である。
図２〜図４、図６，図７において、後側フレーム７は、ＩＯＴの後側に配置される後側プレート３１と、後側プレート３１の右側部（＋Ｙ側部）に支持された後側右側部支持部材（後側他側部支持部材）３２と、後側プレート３１の左側上端部に支持された後側左側部支持部材（後側一側部支持部材）３３と、後側右側部支持部材３２の上端部と後側左側部支持部材３３の上端部とを連結する後側上端部連結プレート３４と、を有している。
【００３２】
図２〜図４、図６において、複数の孔が形成された後側プレート３１の後面（−Ｘ面）には、画像記録部材やシートを搬送する搬送ロール、ＩＩＴ等の部材の作動、駆動を制御する複写機用制御基板３６（図６参照）が支持されている。前記制御基板３６の右端部には、プリンタデータを送信する電子計算機等と接続するためのプリンタコネクタや、ＦＡＸデータの送受信を行うために公衆通信回線に接続するためのＦＡＸコネクタ等を有するコネクタ部３６ａが設けられている。また、後側プレート３１の左側部（−Ｙ側部）には、左方（−Ｙ方向）に突出する後側手差しトレイ支持部材３７が支持されている。
【００３３】
図２〜図４、図６，図７Ｃにおいて、後側右側部支持部材３２は、後側フレーム７の下端部から上方に延びる一体形成された部材により構成されており、後側フレーム７の右側面にネジ止めにより装着されている。そして、後側右側部支持部材３２の上端部には、右側ＩＩＴ支持部材１３が支持される。前記後側右側部支持部材３２の上下方向中央部には、前記コネクタ部３６ａに対応するコネクタ装着孔３２ａが形成されている。
図２〜図４、図６，図７Ｄにおいて、後側左側部支持部材３３は、前記後側プレート３１の左上端部に支持されており、上端部に前記左側ＩＩＴ支持部材１２の後端部を支持する。
なお、前記後側フレーム７を構成する各部材３１〜３７は薄肉プレート状部材を折り曲げて形成された薄肉折り曲げ部材により形成されている。
【００３４】
（左側ＩＩＴ支持部材）
図２、図３、図４Ａにおいて、左側ＩＩＴ支持部材（２点支持部材）１２は、前後方向（Ｘ軸方向）に延びる左側ＩＩＴ支持部材本体４１と、前記左側ＩＩＴ支持部材本体４１の前側（＋Ｘ側）に一体的に形成され下方に延びる前側左側部上部支持部（前側一側部支持部材）４２とを有している。図３、図４Ａにおいて、前記左側ＩＩＴ支持部材本体４１の前後両端部には、上方に折り曲げて形成された上方折り曲げ部４１ａが支持されている。前記上方折り曲げ部４１ａには、ＩＩＴ固定用ネジ孔４１ｂが形成されている。また、左側ＩＩＴ支持部材本体４１の上面には、上方に突出する前部左側ＩＩＴ支持部４１ｃと、前部左側ＩＩＴ支持部４１ｃから後方向に離れた位置に配置された上方に突出する後部左側ＩＩＴ支持部４１ｄが形成されている。前記左側ＩＩＴ支持部４１ｃ、４１ｄは、前記ＩＩＴフレーム２の左側下面に当接しており、ＩＩＴフレーム２の左側部は２箇所で支持される。
【００３５】
図２〜図４において、前記前側左側部上部支持部材４２の下端部には連結ネジ孔４２ａが形成されており、前記前側左側部下部支持部材２２のＩＩＴ支持部材装着用ネジ孔２２ａ及び連結ネジ孔４２ａを貫通するネジにより、前側左側部上部支持部材４２と前側左側部下部支持部材２２とが連結される。
前記前側左側部下部支持部材２２および前側左側部上部支持部材４２等により、前側一側部支持部材としての前側左側部支持部材（２２＋４２）が構成されている。
【００３６】
（右側ＩＩＴ支持部材）
図８は右側ＩＩＴ支持部材の説明図であり、図８Ａは斜視説明図、図８Ｂは図８Ａの矢印ＶIIIＢ方向から見た図、図８Ｃは図８Ｂの矢印ＶIIIＣ方向から見た図、図８Ｄは図８Ｂの矢印ＶIIIＤ方向から見た図である。
図２、図３、図４Ａ、図８において、右側ＩＩＴ支持部材（１点支持部材）１３は、前後方向（Ｘ軸方向）および上下方向（Ｚ軸方向）に延びるプレート状の右側ＩＩＴ支持部材本体５１と、右側ＩＩＴ支持部材本体５１の下端部から左方向に延びる被支持部５２とを有する。前記右側ＩＩＴ支持部材本体５１の前後方向中央部には、右側ＩＩＴ支持部５１ａが左方（−Ｙ方向）に折り曲げて形成されている。また、前記右側ＩＩＴ支持部材本体５１には、前記ＩＩＴフレーム２を右方からネジ止めするためのＩＩＴ固定用ネジ孔５１ｂを含む複数の孔が形成されている。前記右側ＩＩＴ支持部５１ａは、前記ＩＩＴフレーム２の右側下面に当接しており、ＩＩＴフレーム２の右側部は１箇所で支持される。
【００３７】
図８において、被支持部５２の後端部には、折り曲げ部５２ａが上方に折り曲げて形成されており、折り曲げ部５２ａには、ＩＩＴフレーム２を後方からネジ止めするためのＩＩＴ固定用ネジ孔５２ｂが形成されている。また、前記被支持部５２の下面には、前記後側右側部支持部材３２の上端部にネジ止めされるためのネジ孔５２ｃが形成されている。
したがって、実施例１の画像形成装置Ｕでは、ＩＩＴフレーム２は、左側ＩＩＴ支持部４１ｃ、４１ｄおよび右側ＩＩＴ支持部５１ａにより３箇所で下方から支持される。そして、ＩＩＴフレーム２は、ＩＩＴ固定用ネジ孔４１ｂ、５１ｂ、５２ｂによって、前後方向または左右方向からネジ止めされており、上下方向からネジ止めされない。
【００３８】
（プリンタ）
図９は実施例１の画像形成装置としてのプリンタの説明図である。
図１０は実施例１のプリンタのフレームの斜視説明図であり、図１０Ａはプリンタの前側フレームの斜視説明図、図１０Ｂはプリンタの後側フレームの斜視説明図である。
図９において、画像読取装置ＩＩＴを有しない画像形成装置としてのプリンタＵ′は、ＩＯＴフレーム１′を有している。そして、ＩＯＴフレーム１′は、前側フレーム６′と、後側フレーム７′とを有している。そして、プリンタＵ′のＩＯＴフレーム１′は、複合機Ｕのものと同様に構成されたベースフレーム８と、給紙トレイ支持部材９と、連結フレーム１１とを有している。なお、プリンタＵ′は、ＩＩＴを有しないので、左側ＩＩＴ支持部材１２および右側ＩＩＴ支持部材１３は省略されている。
図９、図１０において、前記前側フレーム６′は、複写機用の前側フレーム６と異なり、前側左側部下部支持部材２２に前側左側部上部支持部材４２が連結されない。
【００３９】
図１１は実施例１のプリンタの後側フレームの後方から見た斜視図であり、図６に対応する図である。
図１２はプリンタの後側フレームの構成部品の斜視説明図であり、図１２Ａは後側右側部支持部材の斜視説明図、図１２Ｂは後側左側部支持部材の斜視説明図である。
図９〜図１２において、後側フレーム７′は、複合機Ｕの後側プレート３１と同一の後側プレート３１と、後側プレート３１の右側部（＋Ｙ側部）に支持された後側右側部支持部材（後側他側部支持部材）３２′と、後側プレート３１の左側上端部に支持された後側左側部支持部材（後側一側部支持部材）３３′と、を有している。
【００４０】
図９〜図１１において、後側プレート３１の後面（−Ｘ面）には、画像記録部材やシートを搬送する給紙ロール等の部材の作動、駆動を制御するプリンタ用制御基板３６′（図１１参照）が支持されている。前記プリンタ用制御基板３６′の右端部には、プリンタ用コネクタ部３６ａ′が設けられている。
図９〜図１１、図１２Ａにおいて、プリンタ用の後側右側部支持部材３２′は、複写機用の後側右側部支持部材３２よりも上下方向の長さが短く形成され且つ後側フレーム７の下端部から上方に延びる一体形成された部材により構成されている。そして、複写機用の後側右側部支持部材３２と同様に、後側フレーム７の右側面にネジ止めされる。そして、前記後側右側部支持部材３２′の上部には、プリンタ用コネクタ部３６ａ′に対応するコネクタ装着孔３２ａ′が形成されている。
また、図９〜図１１、図１２Ａにおいて、プリンタ用の後側左側部支持部材３３′は、複写機用の後側左側部支持部材３３よりも上下方向の長さが短く形成されている。
【００４１】
（実施例１の作用）
前記構成を備えた実施例１の画像形成装置としての複写機Ｕ、Ｕ′では、前側フレーム６の前側左側部支持部材（２２＋４２）と、後側フレーム７の後側左側部支持部材３３および後側右側部支持部材３２の３箇所でＩＩＴを支持している。即ち、ＩＩＴを支持するためにＩＯＴとは別体に構成されたラックを使用しないので、画像形成装置Ｕ全体のコストを低減できる。
また、実施例１の複写機Ｕは、前側左側部支持部材（２２＋４２）、後側左側部支持部材３３および後側右側部支持部材３２の３箇所でＩＩＴを支持しており、前側右側部に支持部材が設けられていない。したがって、４箇所でＩＩＴを支持する従来技術のようにシートを取り出す際に邪魔となる前側右側部の支持部材が設けられていないので、シート排出トレイＴＲｈに排出されたシートをユーザが取り出しやすい。
【００４２】
また、後側右側部支持部材３２，３２′が一体形成されており、ベースフレーム８の下方の給紙トレイ支持部材９の下端部から上方に延びている。したがって、実施例１の画像形成装置Ｕ、Ｕ′では、一体形成された後側右側部支持部材３２，３２′がベースフレーム８の下方から上方まで延びているので、荷重の作用する上下方向に沿って接続部がないので、ベースフレーム８より上方にのみ枠体が配置され、ベースフレーム８の上下で強度が異なる従来技術と比較して、後側右側部支持部材３２、３２′の強度が高くなる。したがって、ＩＩＴを有する複写機Ｕにおいて、ベースフレーム８の上側の部分が下側部分に対して撓んだり、変形したりすることを防止できる。この結果、ＩＩＴを支持する画像形成装置Ｕ，Ｕ′全体の強度が高まり、画像形成装置Ｕ，Ｕ′の振動等を低減でき、振動により画像形成への悪影響を低減できる。また、複写機Ｕでは、一体形成され、強度が高い後側右側部支持部材３２により、上方に配置されたＩＩＴを支持している。したがって、実施例１の複写機Ｕでは、ＩＩＴを精度よく保持することができる。
【００４３】
さらに、実施例１の画像形成装置Ｕ、Ｕ′では、後側右側部支持部材３２、３２′が後側プレート３１とは別体に構成されており、後側プレート３１の右側部に支持される。また、後側左側部支持部材３３，３３′も、後側プレート３１とは別体に構成されており、後側プレート３１の右側部に支持される。したがって、後側プレート３１や後側手差しトレイ支持部材３７等を複写機Ｕと、プリンタＵ′で共通化することができる。特に、実施例１の後側フレーム７，７′では、コネクタ装着孔３２ａ、３２ａ′が、後側右側部支持部材３２、３２′に形成されている。したがって、後側プレート３１にコネクタ装着孔が形成されていないので、後側プレート３１に装着される制御基板３６，３６′のサイズが異なる場合でも、ネジ孔の位置を共通化またはそれぞれの基板３６，３６′用のネジ孔を形成しておくことにより、後側プレート３１を共通化できる。
【００４４】
そして、前側左側部支持部材（２２＋４２）は、前側左側部下部支持部材２２と前側左側部上部支持部材４２とに分かれており、プリンタＵ′の場合、前側左側部上部支持部材４２が装着されない。したがって、前側プレート２１、前側左側部下部支持部材２２、前側右側部下部支持部材２３、前側下端部連結プレート２４、前側手差しトレイ支持部材２６等は、複写機ＵとプリンタＵ′で共通化することができる。この結果、前側フレーム６，６′の構成部品２１〜２６や、後側フレーム７，７′の構成部品３１，３７を複写機ＵとプリンタＵ′で共通化することができるので、画像形成装置Ｕ、Ｕ′のコストを低減することができる。
【００４５】
また、実施例１の画像形成装置Ｕ、Ｕ′では、ＩＯＴフレーム１の各構成部品が薄肉折り曲げ部材により構成されているので、角パイプで構成する場合と比較して、コストを低減することができる。また、角パイプを使用することにより発生するデッドスペースを減らすことができ、スペースを有効活用できる。
【実施例２】
【００４６】
図１３は実施例２の画像形成装置で使用される前側左側部支持部材の斜視説明図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００４７】
図１３において、実施例２の複写機用の前側左側部支持部材２２′は、実施例１の前側左側部支持部材（２２＋４２）と異なり、ベースフレーム８の下方の給紙トレイ支持部材９の下端部から上方に延びる一体形成の部材により構成されている。なお、実施例２の左側ＩＩＴ支持部材（図示せず）では、前側左側部上部支持部材４２が省略され、左側ＩＩＴ支持部材本体４１の前端部が前側左側部支持部材２２′の上端部に支持される。
【００４８】
（実施例２の作用）
前記構成を備えた実施例２の画像形成装置では、前側左側部支持部材２２′が、ベースフレーム８の下方の給紙トレイ支持部材９の下端部から上方に延び且つ、左側ＩＩＴ支持部材本体４１を介して上方に配置されたＩＩＴを支持している。したがって、ベースフレーム８より上方に枠体が配置されている従来技術や、前側左側部下部支持部材２２と前側左側部上部支持部材４２とに分かれた実施例１と比較して、前側左側部支持部材２２′の強度が高くなる。したがって、ＩＩＴを有する複写機Ｕにおいて、ベースフレーム８の上側の部分が下側部分に対して撓んだり、変形したりすることをさらに効率的に防止できる。この結果、ＩＩＴを支持する強度がさらに高まり、複写機Ｕの振動等をさらに低減でき、ＩＩＴの平面度をさらに精度よく保持することができる。
【産業上の利用可能性】
【００４９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ04）を下記に例示する。
（Ｈ01）前記各実施例において、電子写真方式の画像形成装置に限定されず、インクジェット記録方式の画像形成装置にも適用可能である。
（Ｈ02）前記各実施例において、前側左側部支持部材（２２＋４２），２２′、後側左側部支持部材３３および後側右側部支持部材３２が、前側プレート６，６′や後側プレート７，７′とは別体に構成されているが、前側プレート６，６′や後側プレート７，７′と一体に形成したり、溶接により一体的に構成することも可能である。
【００５０】
（Ｈ03）前記各実施例において、コネクタ装着孔３２ａ、３２ａ′を後側右側部支持部材３２、３２′に形成したが、後側プレート３１にコネクタ装着孔を形成することも可能である。
（Ｈ04）前記各実施例において、画像形成装置Ｕ、Ｕ′の下方に、複数の給紙トレイを追加するためのオプションの給紙ユニットを装着することも可能である。
【図面の簡単な説明】
【００５１】
【図１】図１は本発明の実施例１の画像形成装置の斜視説明図である。
【図２】図２は実施例１の画像形成装置の全体のフレームの斜視説明図である。
【図３】図３は実施例１の画像形成装置のＩＩＴを外したＩＯＴのフレームの斜視説明図である。
【図４】図４は実施例１の画像形成装置のフレームの各部分の斜視説明図であり、図４Ａは左側ＩＩＴ支持部材の斜視説明図、図４Ｂは右側ＩＩＴ支持部材の斜視説明図、図４Ｃは前側フレームの斜視説明図、図４Ｄは後側フレームの斜視説明図である。
【図５】図５は前側フレームの構成部品の斜視説明図であり、図５Ａは前側プレートの斜視説明図、図５Ｂは前側左側部下部支持部材の斜視説明図、図５Ｃは前側右側部支持部材の斜視説明図、図５Ｄは前側下端部連結プレートの斜視説明図である。
【図６】図６は図４Ｄの矢印ＶＩ方向から見た斜視説明図である。
【図７】図７は後側フレームの構成部品の斜視説明図であり、図７Ａは後側プレートを前側から見た斜視説明図、図７Ｂは後側プレートを後側から見た斜視説明図、図７Ｃは後側右側部支持部材の斜視説明図、図７Ｄは後側左側部支持部材の斜視説明図、図７Ｅは後側上端部連結プレートの斜視説明図である。
【図８】図８は右側ＩＩＴ支持部材の説明図であり、図８Ａは斜視説明図、図８Ｂは図８Ａの矢印ＶIIIＢ方向から見た図、図８Ｃは図８Ｂの矢印ＶIIIＣ方向から見た図、図８Ｄは図８Ｂの矢印ＶIIIＤ方向から見た図である。
【図９】図９は実施例１の画像形成装置としてのプリンタの説明図である。
【図１０】図１０は実施例１のプリンタのフレームの斜視説明図であり、図１０Ａはプリンタの前側フレームの斜視説明図、図１０Ｂはプリンタの後側フレームの斜視説明図である。
【図１１】図１１は実施例１のプリンタの後側フレームの後方から見た斜視図であり、図６に対応する図である。
【図１２】図１２はプリンタの後側フレームの構成部品の斜視説明図であり、図１２Ａは後側右側部支持部材の斜視説明図、図１２Ｂは後側左側部支持部材の斜視説明図である。
【図１３】図１３は実施例２の画像形成装置で使用される前側左側部支持部材の斜視説明図である。
【符号の説明】
【００５２】
６，６′…前側フレーム、
７，７′…後側フレーム、
８…ベースフレーム、
９…給紙トレイ支持部材、
２１…前側プレート、
２２＋４２；２２′…前側一側部支持部材、
３１…後側プレート、
３２，３２′…後側他側部支持部材、
３３，３３′…後側一側部支持部材、
ＩＩＴ…画像読取装置、
ＴＲ１，ＴＲ２…給紙トレイ、
ＴＲｈ…シート排出トレイ。
【図１】
2005260593.tif 000003
【図２】
2005260593.tif 000004
【図３】
2005260593.tif 000005
【図４】
2005260593.tif 000006
【図５】
2005260593.tif 000007
【図６】
2005260593.tif 000008
【図７】
2005260593.tif 000009
【図８】
2005260593.tif 000010
【図９】
2005260593.tif 000011
【図１０】
2005260593.tif 000012
【図１１】
2005260593.tif 000013
【図１２】
2005260593.tif 000014
【図１３】
2005260593.tif 000015